(57)【要約】【課題】射出用供給流路と出力流路との間を確実に遮断してから、増圧用供給流路と出力流路との間を連通させることができる射出増圧開閉弁を得る。【解決手段】射出用圧力源に接続された射出用供給流路孔４と、射出シリンダ側に接続された出力流路孔６と、射出用圧力源より高圧力の増圧用圧力源に接続された増圧用供給流路孔８とが形成された弁本体２を備え、弁本体２内に射出弁体１０と増圧弁体１２とを配置した。射出弁体１０は射出用供給流路孔４と出力流路孔６とを連通する開弁方向と、射出用供給流路孔４と出力流路孔６とを遮断する閉弁方向とに移動可能で、増圧弁体１２は増圧用供給流路孔８と出力流路孔６とを連通する開弁方向と、増圧用供給流路孔８と出力流路孔６とを遮断する閉弁方向とに移動可能である。揺動可能に支持されたリンク部材３４と、リンク部材３４を揺動させるアクチュエータ５６とを設け、リンク部材３４の揺動で、射出弁体１０を閉弁した後に、増圧弁体１２を開弁させる。【選択図】  図１
2006123323.tif 000002
【特許請求の範囲】
【請求項１】
射出用圧力源に接続された射出用供給流路と、射出シリンダ側に接続された出力流路と、射出用圧力源より高圧力の増圧用圧力源に接続された増圧用供給流路とがそれぞれ接続される弁本体を備え、該弁本体内に射出弁体と増圧弁体とを配置し、
前記射出弁体は前記射出用供給流路と前記出力流路との間を連通する開弁方向と、前記射出用供給流路と前記出力流路との間を遮断する閉弁方向との両方向に移動可能で、
また、前記増圧弁体は前記増圧用供給流路と前記出力流路との間を連通する開弁方向と、前記増圧用供給流路と前記出力流路との間を遮断する閉弁方向との両方向に移動可能で、
更に、揺動可能に支持されたリンク部材と、該リンク部材を揺動させるアクチュエータとを設け、前記リンク部材の揺動で、前記射出弁体を閉弁方向へ移動して前記射出用供給流路と前記出力流路との間を遮断した後に、前記増圧弁体を開弁方向に移動して前記増圧用供給流路と前記出力流路との間を連通させることを特徴とする射出増圧開閉弁。
【請求項２】
前記射出弁体と前記増圧弁体との両弁体はポペット型で、前記両弁体と前記リンク部材との間に前記両弁体をそれぞれ閉弁方向に付勢する付勢部材を設け、前記増圧弁体を開弁方向に移動するのに伴い、前記射出弁体を閉弁方向に付勢する前記付勢部材を前記リンク部材の揺動で圧縮することを特徴とする請求項１に記載の射出増圧開閉弁。
【発明の詳細な説明】
【技術分野】
【０００１】
本発明は、射出制御と増圧制御とを行う射出制御用油圧装置に適用する射出増圧開閉弁に関する。
【背景技術】
【０００２】
従来より、特許文献１にあるように、射出制御と増圧制御とを行う射出制御用油圧装置では、開閉用電磁弁によりパイロット操作されるパイロットチェック弁を開作動して、射出用圧力源としての射出用アキュムレータから射出シリンダへ作動油を供給してキャビティへ溶湯を充填する射出制御を行い、溶湯の充填が完了するとパイロットチェック弁を閉作動し、増圧制御弁を開作動して増圧用圧力源としての増圧用アキュムレータから高圧の作動油を増圧シリンダに供給してキャビティへ充填した溶湯を高圧で加圧する増圧制御を行っている。
【特許文献１】特開２００１−７９６５５（段落番号００１３〜００１８、図１）
【発明の開示】
【発明が解決しようとする課題】
【０００３】
しかしながら、こうした従来のものでは、射出制御から増圧制御に切り換える際に、開閉用電磁弁を切り換えてパイロット操作によりパイロットチェック弁を閉作動させるようにしているが、開閉用電磁弁がゴミ等により動作が遅れたりすると、パイロットチェック弁の閉作動も遅れてしまい、増圧シリンダで加圧する高圧の作動油がパイロットチェック弁を介して射出用アキュムレータ側に流出してしまい、増圧シリンダによる溶湯の加圧が十分に行われなくなり、巣が発生したりするという問題があった。
【０００４】
本発明の課題は、射出用供給流路と出力流路との間を確実に遮断してから、増圧用供給流路と出力流路との間を連通させることができる射出増圧開閉弁を提供することにある。
【課題を解決するための手段】
【０００５】
かかる課題を達成すべく、本発明は課題を解決するため次の手段を取った。即ち、
射出用圧力源に接続された射出用供給流路と、射出シリンダ側に接続された出力流路と、射出用圧力源より高圧力の増圧用圧力源に接続された増圧用供給流路とがそれぞれ接続される弁本体を備え、該弁本体内に射出弁体と増圧弁体とを配置し、
前記射出弁体は前記射出用供給流路と前記出力流路との間を連通する開弁方向と、前記射出用供給流路と前記出力流路との間を遮断する閉弁方向との両方向に移動可能で、
また、前記増圧弁体は前記増圧用供給流路と前記出力流路との間を連通する開弁方向と、前記増圧用供給流路と前記出力流路との間を遮断する閉弁方向との両方向に移動可能で、
更に、揺動可能に支持されたリンク部材と、該リンク部材を揺動させるアクチュエータとを設け、前記リンク部材の揺動で、前記射出弁体を閉弁方向へ移動して前記射出用供給流路と前記出力流路との間を遮断した後に、前記増圧弁体を開弁方向に移動して前記増圧用供給流路と前記出力流路との間を連通させることを特徴とする射出増圧開閉弁がそれである。
【０００６】
前記射出弁体と前記増圧弁体との両弁体はポペット型で、前記両弁体と前記リンク部材との間に前記両弁体をそれぞれ閉弁方向に付勢する付勢部材を設け、前記増圧弁体を開弁方向に移動するのに伴い、前記射出弁体を閉弁方向に付勢する前記付勢部材を前記リンク部材の揺動で圧縮する構成としてもよい。
【発明の効果】
【０００７】
本発明の請求項１に記載の射出増圧開閉弁は、リンク部材を揺動して、射出弁体を閉弁方向へ移動して射出用供給流路と出力流路との間を遮断した後に、増圧弁体を開弁方向に移動して増圧用供給流路と前記出力流路との間を連通させるので、確実に射出用供給流路と出力流路との間を遮断してから、増圧用供給流路と出力流路との間を連通させることができるという効果を奏する。
【０００８】
また、請求項２に記載の射出増圧開閉弁は、請求項１の効果に加えて、増圧弁体を開弁方向に移動するのに伴い、射出弁体を閉弁方向に付勢する付勢部材をリンク部材の揺動で圧縮するので、射出弁体の閉弁方向の付勢力が増加し、一層確実に閉弁状態とすることができる。
【発明を実施するための最良の形態】
【０００９】
以下本発明を実施するための最良の形態を図面に基づいて詳細に説明する。
図１に示すように、１は射出増圧開閉弁で、射出増圧開閉弁１は弁本体２を備えている。弁本体２には、射出用供給流路孔４、出力流路孔６、増圧用供給流路孔８がそれぞれ形成されている。また、弁本体２には、射出弁体１０と増圧弁体１２とがそれぞれ移動可能に配置されている。
【００１０】
弁本体２には、射出用供給流路孔４に連通した摺動孔１４と、弁座１６を介して摺動孔１４に連接された環状室１８が形成されており、環状室１８に出力流路孔６が連通されている。摺動孔１４には射出弁体１０が摺動可能に挿入されると共に、弁座１６に着座・離間して摺動孔１４と環状室１８とを連通・遮断可能に形成されている。
【００１１】
本実施形態では、射出弁体１０は、ポペット型で、射出弁体１０が弁座１６に着座する閉弁方向と、射出弁体１０が弁座１６から離間する開弁方向との両方向に移動可能に構成されている。弁本体２には、パイロット室２０とパイロット接続孔２１とが形成されており、パイロット室２０内の射出弁体１０に段部１０ａが設けられており、パイロット接続孔２１を介してパイロット室２０にパイロット流体圧が導入された際には、射出弁体１０を閉弁方向に押圧するように構成されている。射出弁体１０は弁本体２の外部にまで延出されている。
【００１２】
また、弁本体２には、増圧用供給流路孔８に連通した摺動孔２２と、弁座２４を介して摺動孔２２に連接された環状室２６が形成されており、環状室２６に出力流路孔６が連通されている。摺動孔２２には増圧弁体１２が摺動可能に挿入されると共に、弁座２４に着座・離間して摺動孔２２と環状室２６とを連通・遮断可能に形成されている。
【００１３】
本実施形態では、増圧弁体１２は、ポペット型で、増圧弁体１２が弁座２４に着座する閉弁方向と、増圧弁体１２が弁座２４から離座する開弁方向との両方向に移動可能に構成されている。弁本体２には、パイロット室２８とパイロット接続孔２９とが形成されており、パイロット室２８内の増圧弁体１２に段部１２ａが設けられており、パイロット接続孔２９を介してパイロット室２８にパイロット流体圧が導入された際には、増圧弁体１２を閉弁方向に押圧するように構成されている。増圧弁体１２は弁本体２の外部にまで延出されている。
【００１４】
射出弁体１０と増圧弁体１２とは、その軸方向が互いに平行となるように配置されており、また、開閉弁方向も同方向となるように配置されている。更に、図２に示すように、弁本体２には、射出弁体１０と増圧弁体１２との間に、支持部材３０が立設されており、支持部材３０には、支点ピン３２を介してリンク部材３４が揺動可能に支持されている。
【００１５】
弁本体２から突出されている射出弁体１０と増圧弁体１２とには、それぞれ係合部材３６，３８が摺動可能に装着されており、射出弁体１０と増圧弁体１２との先端側には雄ねじ部１０ｂ，１２ｂが形成されている。両雄ねじ部１０ｂ，１２ｂには、それぞれ止め部材４０，４２が螺合されており、同様に、両雄ねじ部１０ｂ，１２ｂに螺合されたロックナット４４，４６により緩み止めが図られている。
【００１６】
射出弁体１０と増圧弁体１２とに形成された段部１０ｃ，１２ｃと、係合部材３６，３８との間には、コイルスプリングを用いた付勢部材４８，５０が介装されており、付勢部材４８，５０と係合部材３６，３８との間には、受け部材５２，５４が配置されている。付勢部材４８，５０の付勢力は、両段部１０ｃ，１２ｃと両係合部材３６，３８の間を拡げるように作用するよう構成されている。
【００１７】
両係合部材３６，３８には、円筒状外周面の対向する２箇所を二面幅状に切り欠いて、段部３６ａ，３８ａが形成されており、リンク部材３４の両先端が二股に形成されて、両係合部材３６，３８の二面幅を挟み込むように装着されている。リンク部材３４の両先端は円弧状に形成されて、両段部３６ａ，３８ａと両止め部材４０，４２とにより挟まれるように構成されている。
【００１８】
これにより、両付勢部材４８，５０は、射出弁体１０及び増圧弁体１２の段部１０ｃ，１２ｃと、リンク部材３４の両先端との間に付勢力が作用するように構成されている。また、図２に示すように、リンク部材３４が射出弁体１０及び増圧弁体１２の軸方向とほぼ直交した状態にあるときには、射出弁体１０と増圧弁体１２とは、両付勢部材４８，５０により閉弁方向に付勢され、射出弁体１０が弁座１６に着座して、射出用供給流路孔４と出力流路孔６とを遮断すると共に、増圧弁体１２が弁座２４に着座して、増圧用供給流路孔８と出力流路孔６とを遮断するように構成されている。
【００１９】
この図２に示す状態から時計方向にリンク部材３４を揺動すると、射出弁体１０は弁座１６に着座した状態で、付勢部材４８が圧縮され、増圧弁体１２は開弁方向に移動されて弁座２４から離間する。逆に、図２に示す状態から反時計方向にリンク部材３４を揺動すると、射出弁体１０は開弁方向に移動されて、弁座１６から離間し、増圧弁体１２は弁座２４に着座した状態で、付勢部材５０が圧縮されるように構成されている。
【００２０】
支持部材３０にはアクチュエータ５６が支点軸５８の廻りに揺動可能に支持されている。本実施形態では、アクチュエータ５６は電動モータ６０を備え、電動モータ６０により回転駆動されるボールネジ６２にナット部材６４が螺合されている。ナット部材６４はリンク部材３４にピン６６を介して揺動可能に連結されている。
【００２１】
尚、アクチュエータ５６は電動モータ６０の回転をボールネジ６２とナット部材６４とにより直線運動に変換しているが、これに限らず、電動モータ６０の回転により、支点ピン３２の廻りにリンク部材３４を揺動させるようにしてもよく、あるいは、ソレノイドやシリンダ等の直線駆動源を用いてもよい。
【００２２】
次に、前述した本実施形態の射出増圧開閉弁１の作動について説明する。
まず、図２に示すように、リンク部材３４が射出弁体１０及び増圧弁体１２の軸方向とほぼ直交した状態にあるときには、射出弁体１０と増圧弁体１２とは、両付勢部材４８，５０により、閉弁方向に付勢され、射出弁体１０が弁座１６に着座して、射出用供給流路孔４と出力流路孔６とを遮断すると共に、増圧弁体１２が弁座２４に着座して、増圧用供給流路孔８と出力流路孔６とを遮断する。
【００２３】
図１、図２に示す状態から、アクチュエータ５６の電動モータ６０を回転駆動すると、ボールネジ６２を介してナット部材６４が移動してリンク部材３４を揺動する。リンク部材３４を時計方向に揺動すると、リンク部材３４の先端は止め部材４０から離れて、射出弁体１０は弁座１６に着座した状態で、付勢部材４８が圧縮され、より確実に閉弁状態が維持される。また、リンク部材３４の他方の先端が止め部材４２を押して、増圧弁体１２が開弁方向に移動されて弁座２４から離間し、増圧用供給流路孔８と出力流路孔６とを環状室２６、摺動孔２２を介して連通する。
【００２４】
また、図１、図２に示す状態から、アクチュエータ５６の電動モータ６０を逆方向に回転駆動すると、リンク部材３４を反時計方向に揺動する。これにより、リンク部材３４の一方の先端が止め部材４０を押して、射出弁体１０が開弁方向に移動されて弁座１６から離間し、射出用供給流路孔４と出力流路孔６とを環状室１８、摺動孔１４を介して連通する。また、リンク部材３４の他方の先端は止め部材４２から離れ、増圧弁体１２が弁座２４に着座した状態で、付勢部材５０が圧縮され、より確実に閉弁状態が維持される。
【００２５】
リンク部材３４が揺動される際、例えば、反時計方向に揺動された状態から、時計方向に揺動される際、射出弁体１０が弁座１６に着座して閉弁すると共に、増圧弁体１２が弁座２４に着座して閉弁した全閉状態を経てから、増圧弁体１２が弁座２４から離間する。
【００２６】
即ち、リンク部材３４の揺動により機械的に射出弁体１０及び増圧弁体１２が移動されて、射出弁体１０が弁座１６から離間した開弁状態から、射出弁体１０と増圧弁体１２とが弁座１６，２４に着座した全閉状態を経て、増圧弁体１２が弁座２４から離間した開弁状態となる。従って、射出用供給流路孔４と出力流路孔６とが連通された状態から、確実に全てが遮断された状態を経て、増圧用供給流路孔８と出力流路孔６とが連通された状態となるので、増圧用供給流路孔８から出力流路孔６を介して射出用供給流路孔４に作動油が流出することがない。
【００２７】
尚、本実施形態では、射出弁体１０と増圧弁体１２とをポペット型で構成したが、これに限らず、射出弁体１０と増圧弁体１２とをスプール型で構成しても同様に実施可能である。
【００２８】
次に、本実施形態の射出増圧開閉弁１を適用した射出制御用油圧装置について、図３によって説明する。
図３に示すように、射出用供給流路孔４には射出用油圧源としての射出用アキュムレータ１００に接続された射出用供給流路１０２が接続されている。出力流路孔６には射出シリンダ１０４のヘッド側ポートに接続された出力流路１０６が接続されている。増圧用供給流路孔８には射出用アキュムレータ１００より高圧の増圧用油圧源としての増圧用アキュムレータ１０８に接続された増圧用供給流路１１０が接続されている。
【００２９】
射出用供給流路１０２の作動油圧力を検出する圧力センサ１１２が設けられると共に、増圧用供給流路１１０の作動油圧力を検出する圧力センサ１１４も設けられている。射出用供給流路１０２はリリーフ弁１１６を介してタンク１１８に接続されている。射出用供給流路１０２と増圧用供給流路１１０とは、可変絞り弁１２０、二位置電磁弁１２２を介して接続されており、可変絞り弁１２０にはチェック弁１２４が並列に配置されている。
【００３０】
油圧源１２６は、チェック弁１２８が介装された高圧流路１３０を介して射出用供給流路孔４に接続されると共に、充填用電磁弁１３２、パイロットチェック弁１３５、可変絞り弁１３６を介して射出用アキュムレータ１００に接続されている。可変絞り弁１３６にはチェック弁１３８が並列に配置されている。
【００３１】
また、油圧源１２６は、減圧弁１４０、パイロット電磁弁１４２、パイロットチェック弁１３２、可変絞り弁１３４を介して射出弁体１０側のパイロット接続孔２１に接続されている。可変絞り弁１３４にはチェック弁１３６が並列に配置されている。パイロット電磁弁１４２は、高圧流路１３０とパイロット接続孔２１とを連通する閉弁位置１４２ａ、高圧流路１３０を遮断する中立位置１４２ｂ、パイロットチェック弁１３２にパイロット流体を供給してパイロット接続孔２１をタンク１１８に連通する開弁位置１４２ｃを備えている。
【００３２】
更に、油圧源１２６は、減圧弁１４４、パイロット電磁弁１４６、パイロットチェック弁１４８、可変絞り弁１５０を介して増圧弁体１２側のパイロット接続孔２９に接続されている。可変絞り弁１５０にはチェック弁１５２が並列に配置されている。パイロット電磁弁１４６は高圧流路１３０とパイロット接続孔２９とを連通する閉弁位置１４６ａ、高圧流路１３０を遮断する中立位置１４６ｂ、パイロットチェック弁１４８にパイロット流体を供給してパイロット接続孔２９をタンク１１８に連通する開弁位置１４６ｃを備えている。
【００３３】
出力流路１０６と高圧流路１３０とは、パイロットチェック弁１５４、電磁弁１５６、可変絞り弁１５８を介して接続されている。射出シリンダ１０４のロッド側ポートは、油圧源１２６と、チェック弁１６０、電磁弁１６２、可変絞り弁１６４を介して接続されている。また、ロッド側ポートはサーボ弁１６６を介してタンク１１８と接続されると共に、リリーフ弁１６８を介してタンク１１８と接続されている。
【００３４】
次に、前述した本実施形態の射出制御用油圧装置の作動について説明する。
まず、二位置電磁弁１２２と充填用電磁弁１３２とを開弁して、射出用アキュムレータ１００と増圧用アキュムレータ１０８とに作動油を充填する。その際、増圧用アキュムレータ１０８は射出用アキュムレータ１００よりも高圧となるように充填する。充填した後、二位置電磁弁１２２と充填用電磁弁１３２とを閉弁する。その際、射出弁体１０と増圧弁体１２とは、共に閉弁状態で充填する。
【００３５】
射出シリンダ１０４により射出成形する際には、アクチュエータ５６を駆動して、リンク部材３４を反時計方向に揺動する。その際、パイロット電磁弁１４２を開弁位置１４２ｃに切り換えて、パイロット室２０をタンク１１８に連通する。また、パイロット電磁弁１４６を閉弁位置１４６ａに切り換えて、パイロット室２８にパイロット流体を導入して、増圧弁体１２を閉弁方向に押圧して閉弁状態を一層確実にする。
【００３６】
これにより、射出弁体１０はリンク部材３４により開弁方向に移動されて、射出シリンダ１０４のヘッド側ポートと射出用アキュムレータ１００とが、出力流路１０６、射出増圧開閉弁１、射出用供給流路１０２を介して連通される。また、増圧弁体１２は、リンク部材３４の反時計方向の揺動で、付勢部材５０が圧縮され、付勢力の増加により増圧弁体１２を更に閉弁方向に押圧して、閉弁状態を一層確実にする。
【００３７】
よって、射出用アキュムレータ１００から作動油が射出シリンダ１０４のヘッド側ポートに供給されて、射出成形が開始される。射出シリンダ１０４のロッド側ポートはサーボ弁１６６を介してタンク１１８に連通され、射出シリンダ１０４はサーボ弁１６６によるメータアウト制御により速度制御されて射出制御を行う。
【００３８】
射出制御が完了すると、アクチュエータ５６を駆動して、リンク部材３４を時計方向に揺動する。これにより、射出弁体１０は付勢部材４８を介して押されて閉弁方向に移動される。リンク部材３４が、図に示すように、射出弁体１０及び増圧弁体１２の軸方向と直交した状態となったときには、射出弁体１０は弁座１６に着座して閉弁され、出力流路１０６と射出用供給流路１０２とが遮断される。
【００３９】
また、増圧弁体１２は、リンク部材３４の揺動により、付勢部材５０の付勢力が減少するが、増圧弁体１２は弁座２４に着座した状態を維持し、出力流路１０６と増圧用供給流路１１０との連通を遮断する閉弁状態にある。よって、射出弁体１０と増圧弁体１２とは、共に閉弁状態となり、増圧用供給流路１１０が、増圧用供給流路孔８、摺動孔２２、環状室２６、出力流路孔６、環状室１８、摺動孔１４、射出用供給流路孔４を介して射出用供給流路１０２と連通することがないので、増圧用アキュムレータ１０８から射出用アキュムレータ１００側に作動油が流出して、圧力が低下するのを防止する。
【００４０】
射出弁体１０と増圧弁体１２とが、共に閉弁状態のときに、パイロット電磁弁１４２を閉弁位置１４２ａに切り換えて、パイロット室２０にパイロット流体を導入して、射出弁体１０を閉弁方向に押圧して、閉弁状態を一層確実にする。また、パイロット電磁弁１４６を開弁位置１４６ｃに切り換えて、パイロット室２８をタンク１１８と連通する。
【００４１】
両パイロット電磁弁１４２，１４６の切換タイミングは、アクチュエータ５６の電動モータ６０の回転等を検出して、リンク部材３４の揺動角度に応じて制御することにより、容易に実行できる。
【００４２】
リンク部材３４を更に時計方向に揺動すると、増圧弁体１２が開弁方向に移動されて、射出シリンダ１０４のヘッド側ポートと増圧用アキュムレータ１０８とが、出力流路１０６、射出増圧開閉弁１、増圧用供給流路１１０を介して連通され、射出シリンダ１０４に高圧の作動油が供給される。射出シリンダ１０４のロッド側ポートはサーボ弁１６６を介してタンク１１８に連通され、射出シリンダ１０４はサーボ弁１６６によるメータアウト制御により速度制御されて増圧制御を行う。射出弁体１０は、リンク部材３４の揺動により、付勢部材４８が圧縮され、付勢力の増加により射出弁体１０を更に閉弁方向に押圧して、閉弁状態を一層確実にする。
【００４３】
増圧制御を完了すると、アクチュエータ５６を駆動して、リンク部材３４を反時計方向に揺動して、図に示すように、射出弁体１０及び増圧弁体１２を閉弁状態にする。その際、パイロット電磁弁１４６を閉弁位置１４６ａに切り換えて、パイロット室２８にパイロット流体を導入し、増圧弁体１２を閉弁方向に押圧して、一層閉弁状態を確実にする。この後、パイロット電磁弁１４２，１４６を中立位置１４２ｂ，１４６ｂに切り換える。
【００４４】
そして、電磁弁１５６を切り換えて、出力流路１０６とタンク１１８とを連通すると共に、電磁弁１６２を切り換えて、射出シリンダ１０４のロッド側ポートを油圧源１２６に連通する。これにより、射出シリンダ１０４のロッド側ポートに作動油が供給されて、射出シリンダ１０４を元の位置に戻し、元の位置に戻した後、電磁弁１５４，１６２を切り換えて閉弁状態として、射出シリンダ１０４を停止する。
【００４５】
以上本発明はこの様な実施形態に何等限定されるものではなく、本発明の要旨を逸脱しない範囲において種々なる態様で実施し得る。
【図面の簡単な説明】
【００４６】
【図１】本発明の一実施形態としての射出増圧開閉弁の断面図である。
【図２】本実施形態の射出増圧開閉弁の一部を断面で示す要部拡大図である。
【図３】本実施形態の射出増圧開閉弁を適用した射出制御用油圧装置の回路図である。
【符号の説明】
【００４７】
１…射出増圧開閉弁    ２…弁本体
４…射出用供給流路孔  ６…出力流路孔
８…増圧用供給流路孔  １０…射出弁体
１２…増圧弁体        １６，２４…弁座
２０，２８…パイロット室
３０…支持部材        ３２…支点ピン
３４…リンク部材      ３６，３８…係合部材
４０，４２…止め部材  ４８，５０…付勢部材
５６…アクチュエータ  ６０…電動モータ
６２…ボールネジ      ６４…ナット部材
１００…射出用アキュムレータ
１０２…射出用供給流路
１０４…射出シリンダ  １０６…出力流路
１０８…増圧用アキュムレータ
１１０…増圧用供給流路
１１８…タンク        １２６…油圧源
１３０…高圧流路      １３２…充填用電磁弁
１４２，１４６…パイロット電磁弁
１６６…サーボ弁
【図１】
2006123323.tif 000003
【図２】
2006123323.tif 000004
【図３】
2006123323.tif 000005